(57)【要約】      （修正有）【課題】リーダーへの取り付け及び取り外しを簡易にし、足場の高さを下げてリーダー上での作業に適した高さにして、各パイプ間の接続作業やバックステーなどの取り付け作業又はその解体作業を容易かつ安全に行える杭打機リーダースライド式組立足場を提供する。【解決手段】杭打機リーダースライド式組立足場Ｓは、杭打機リーダーＬをなす各パイプＰの下方でオーガ用の一対のガイドパイプＧに複数のガイドローラ３１を介して各ガイドローラの各軸受３により懸垂され、各足場デッキ２が一対のガイドパイプＧの両側で各ガイドパイプに沿って移動可能に配置される。【選択図】図１
0003222132.tif 000002
【実用新案登録請求の範囲】
【請求項１】
杭打機のリーダーを構成する複数のパイプを、当該各パイプの長手方向に沿って取り付けられてオーガの昇降をガイドするための一対のガイドパイプを下方に向けて横倒しにしてリーダースタンドに載せ、前記各パイプ及び前記パイプに付設される周辺部材を組み立て又は分解するリーダーの組み立て又は分解作業に使用する杭打機リーダースライド式組立足場であって、
前記パイプの前記一対のガイドパイプの直下に前記パイプの軸方向に対して直交して配置され、両端部側が前記パイプの両側に突出されて当該両端部側に足場デッキを有する足場ベースと、
前記足場ベース上で一方の側部側及び他方の側部側にそれぞれ、一対の軸受を介して、前記一対のガイドパイプの上面上を転動可能に軸支される一方の側部側の一対のガイドローラ及び他方の側部側の一対のガイドローラと、
前記足場ベース上で前記一方の側部側の一対のガイドローラ及び前記他方の側部側の一対のガイドローラ間に前記各ガイドパイプの外側に向けられる外面に係脱可能に敷設され、前記各一対のガイドローラを前記各ガイドパイプに沿って転動案内する一対のパイプガイドと、
前記各足場デッキにおいて前記足場ベースの周囲に一部を開閉可能にして立設される手摺りと、
前記各足場デッキにおいて前記足場ベースの周囲の前記一部に昇降可能に配設される梯子と、
前記足場ベースに配設される複数の吊り上げ用のフックと、
を備え、
前記各パイプの下方で前記一対のガイドパイプに前記複数のガイドローラを介して懸垂され、前記各足場デッキが前記一対のガイドパイプに沿って移動可能に配置される、
ことを特徴とする杭打機リーダースライド式組立足場。
【請求項２】
足場ベースは各種の型鋼によりフレーム状に組み立てられて構成され、その両端部側に鋼板が設置固定されて足場デッキが形成される請求項１に記載の杭打機リーダースライド式組立足場。
【請求項３】
各一対のガイドローラは足場ベース上で各一対の軸受に逆ハの字形に軸支されて各ガイドパイプの頂部に当接される請求項１又は２に記載の杭打機リーダースライド式組立足場。
【請求項４】
各一対のガイドローラ及び一対のパイプガイドのうち少なくとも同じ片側一方の各ガイドローラの軸受及びパイプガイドの直下から外側方向に所定の範囲までの足場デッキの一部に開口が形成されるとともに、当該開口を開閉可能に開閉デッキが設けられて、前記同じ片側一方のガイドローラの各軸受及びパイプガイドは前記足場ベースにガイド回動機構を介して前記同じ片側一方の各ガイドローラ及びパイプガイドが前記開口に向けて傾動可能に取り付けられる請求項１乃至３のいずれかに記載の杭打機リーダースライド式組立足場。
【請求項５】
ガイド回動機構は、足場デッキの開口上で同じ片側一方の各ガイドローラの各軸受及びパイプガイドを一列に配列して支持する支持プレートと、前記支持プレートの両端に一体に設けられ、足場ベースの両側部の内面に沿って配置される一対の回動プレートと、前記各回動プレートと前記足場ベースの両側部との間に挿通され、前記各回動プレートを前記支持プレートとともに前記同じ片側一方の各ガイドローラの各軸受及びパイプガイドが一方のガイドパイプに係合可能な位置と前記足場デッキの開口との間で回動可能に支持する回動軸と、前記各回動プレートと前記足場ベースの両側部との間に着脱可能に挿通され、前記各回動プレートを前記支持プレートとともに前記同じ片側一方の各ガイドローラの各軸受及びパイプガイドが一方のガイドパイプに係合可能な位置に支持固定するロック軸とを有する請求項４に記載の杭打機リーダースライド式組立足場。
【請求項６】
各足場デッキにおいて足場ベース周囲の手摺りの一部は、前記足場ベースの上下方向に延びる一対の縦フレームと前記各縦フレーム間に配置固定される複数の横フレームとからなる梯子として構成され、前記各縦フレームの一端が前記足場ベースに梯子回動機構を介して回動可能に取り付けられる請求項１乃至５のいずれかに記載の杭打機リーダースライド式組立足場。
【請求項７】
梯子回動機構は、足場ベースに梯子の各縦フレームに当接可能な間隔で取り付けられ、前記足場ベースの上方適宜の高さまで突出される一対の取付フレームと、前記各取付フレームと前記梯子の各縦フレームの一端との間に挿通され、前記一対の取付フレームに対して前記梯子を回動可能に支持する回動軸と、前記各取付フレームと前記梯子の各縦フレームの一端との間に挿通され、前記梯子を前記足場ベース上で手摺りとして立ち上げられた位置に固定する手摺りロック軸と、前記取付フレームと前記梯子の各縦フレームの一端との間に挿通され、前記梯子を前記足場ベースから梯子として吊り下げられた位置に固定する梯子ロック軸とを有する請求項６に記載の杭打機リーダースライド式組立足場。
【考案の詳細な説明】
【技術分野】
【０００１】
本考案は、杭打機リーダースライド式組立足場に関し、特に杭打機の本体に立設されるリーダーをなす複数のパイプ、さらに各パイプに付設されるバックステーや作業用ワイヤロープなどの周辺部材を地上で組み立てたり分解したりする際に使用する杭打機リーダースライド式組立足場に関する。
【背景技術】
【０００２】
土木基礎工事の杭打ち作業では、リーダーにオーガやハンマを装着された杭打機が多く用いられている。この種の杭打機は、杭打機本体の前方に配設された３台のリーダースタンド上にリーダーが支承されている。リーダーは、搬送可能な長さに分解された複数本の鋼管パイプを接続部にて縦方向につないで構成されるもので、上部側の接続部の近傍には、バックステーの上端と、杭打機本体のフレームに支持される俯仰ロープにミドルシーブを用いて連結されたペンダントロープとがそれぞれ取り付けられ、トップシーブとリーダーブラケットとの間には作業用ワイヤロープが懸装される。このリーダーを構成する各鋼管パイプの外周面四方向には、それぞれに一対の平行なブラケットが突設されており、リーダーの横倒し時に下側となる一対のブラケットには、大径のガイドパイプが固設され、同じくリーダーの横倒し時に一側部に位置する一対のブラケットには、小径のガイドパイプが固設されていて、リーダーは、大径のガイドパイプを、上述の如くリーダースタンドに載せて、水平状態に支承される。ガイドパイプは、リーダーの略全長に亙る長さにつながれていて、下側のガイドパイプにはオーガが、また一側部のガイドパイプにはハンマーがそれぞれ昇降可能に装着される。横倒し状態のリーダーの上側と他側部に位置するブラケットにはそれぞれ、梯子が固設される。各梯子は、ブラケットに固着される一対の平行な側棒に、複数の横木を等間隔に掛け渡した一般的な梯子形状で、リーダーの起立時に、作業員が梯子を昇って、リーダー上のメンテナンスが行なえるようになっている。
【０００３】
この杭打機を建設現場などに搬入して杭打ちを行なう場合、その準備として、地上で、搬送のために分解されたリーダー（鋼管パイプ）の横倒しの状態での接続、リーダー（鋼管パイプ）へのバックステーの取り付け、リーダーを起立するためのミドルシーブとペンダントロープの取り付け、作業用ワイヤロープのロープ掛け、電気配線や油圧ホースの接続など、杭打機の本体に立設されるリーダーやリーダーに付設される周辺部材を地上で組み立てる。これらの組み立て後、ペンダントロープの巻上げによって、リーダーが杭打機の本体に立設され、杭打ち作業の開始となる。また、杭打機を建設現場等から搬出する場合は、ペンダントロープの巻上げを緩めて、立設状態のリーダーを杭打機の本体前方の地上へ横倒しし、リーダーや周辺部材を搬送可能な状態に分解する。
【０００４】
ところで、リーダーを組み立てる際又はリーダーを分解する際に、作業員が横倒しされたリーダーの上に乗って作業が行われるが、リーダーの上は地面から２ｍ以上の高さで、しかもリーダーは鋼管パイプからなり、リーダーの上が円弧面になっているため、リーダーの組み立て作業や分解作業では、十分な安全対策が望まれる。その一般的な対策としては、リーダー（鋼管パイプ）の上にポールを鉛直方向に立ち上げ設置して、このポールを使ってリーダー（鋼管パイプ）の上に親綱を架け渡し、作業員は安全帯を装備し、安全帯のフックを親綱に掛けて、安全を確保することが通常である。しかし、このような対策ではリーダーの上での作業が容易になることはなく、また、十分な安全が確保されたとも言い難い。また、建設現場では立ち馬が使用されることがある。この場合、立ち馬を人力で持ち運びするので、立ち馬の移動は大変である。また、立ち馬それ自体は固定されないので、作業員が立ち馬上で力作業を行う場合には、立ち馬は非常に不安定となり、作業の安全性の確保が難しい。さらに、この立ち馬はリーダー（鋼管パイプ）の左右に必要になるが、立ち馬が１台の場合は、左右への移動が煩わしい。
【０００５】
そこで、従来においても、リーダーやバックステーなどの周辺部材の組み立てと分解の作業性と安全性を高めた足場となる、杭打機のリーダー組み立て・分解用作業装置が特許文献１により提案されている。
【０００６】
この文献１の装置は、リーダーの一側部に上下一対に設けられたハンマー用のガイドパイプに、連結パイプにて連結された一対の作業デッキユニットが、着脱可能に且つリーダーの長手方向へ移動可能に設けられており、作業デッキユニットをリーダーの２箇所の接続部の近傍へ一体に移動できるようにしてある。
【０００７】
各作業デッキユニットは、複数のパイプ材を主体に構成されたもので、ガイドパイプに装着される取付け部と、取付け部の外側に配設される昇降用の梯子と、上側の梯子を覆って配設される作業デッキ部と、作業デッキ部の移動方向前後面に立設される手摺と、各作業デッキユニットを連結する連結パイプとを備えて構成される。
【０００８】
この場合、取付け部は、ガイドパイプの外側に沿って垂設されるパイプ材の内側に支持板が設けられ、支持板の上部両側に２つの転動輪が、また下部中央に１つの転動輪が、それぞれ支軸にて回転可能に支持されており、支持板の略中央に穿設された差し込み孔に、ストッパピンが抜き差し可能に差し込まれる。上下３つの転動輪は、ハンマーの着脱と同様に、ガイドパイプの上端または下端より抜き差しされ、作業デッキユニットを移動する際には、ガイドパイプを上下から挟むように転動して、連結パイプにて連結された作業デッキユニットの移動を案内する。
【０００９】
この場合、梯子は、取付け部の外側を縦方向に配設される一対の側棒の間に、複数本の横木を架設して構成される。梯子の側棒は、作業デッキ部の上方へ平行に延設され、作業デッキ部の移動方向前後面をコ字形に覆って手摺が構成される。
【００１０】
作業デッキ部は中央部がリーダーの上側の梯子の上を跨ぐために上方へ段状に突出した形状となっている。
【００１１】
作業デッキユニットはこのような構成からなり、リーダーやバックステー等の周辺部材を組立てる際は、それぞれの転動輪をガイドパイプの端部より、ガイドパイプの上下に挟むようにして差し入れ、作業デッキユニットを人為的に牽引または押動して、転動輪をガイドパイプに転動することにより、双方のユニットをリーダーの接続部の外側近傍に案内する。次に、それぞれの差し込み孔にストッパピンを差し込み、差し込み孔から突出するストッパピンの先端側を、ガイドパイプの２つの縦桟の内側へ差し入れるか、同じく２つの縦桟の外側へ差し入れることにより、作業デッキユニットはリーダーの長手方向の移動が規制される。そして、リーダーやバックステー等の周辺部材の組立てを終えたのち、ストッパピンを差し込み孔から引き抜き、作業デッキユニットを押動してガイドパイプの端部へ移動し、転動輪をガイドパイプの上下から引き抜いて、作業デッキユニットを取り外すことにより、リーダーが起立可能状態となる。また、リーダーやバックステー等の周辺部材を搬送可能な状態に分解する際には、各作業デッキユニットの転動輪を、上述の組立てと同様に、ガイドパイプの端部より抜き差しして、作業デッキユニットを着脱する。
【００１２】
このように作業デッキユニットは、昇降用の梯子や手摺を一体に有するため、リーダーやバックステーなどの周辺部材の組み立て及び分解作業を、短時間により一層安全で簡便且つ確実に行なうことができる。また、取付け部に、ガイドパイプを上下から挟んで転動する転動輪を設けたことにより、リーダーの組み立てまたは分解時に、作業デッキユニットを、所望するガイドパイプの任意の位置へ移動できるので、狭隘箇所の細かな手作業も容易に行なうことができる。
【先行技術文献】
【特許文献】
【００１３】
【特許文献１】特開平１０−４６５７６号公報
【考案の概要】
【考案が解決しようとする課題】
【００１４】
しかしながら、上記従来のリーダー組み立て・分解用作業装置では、作業デッキユニットがリーダーの一側部に上下一対に設けられたハンマー用のガイドパイプに着脱可能にかつリーダーの長手方向へ移動可能に取り付けられるため、作業デッキユニットの取付位置が高く、その取り付け及び取り外しが簡易でなく、また、作業デッキ部がハンマー用のガイドパイプに装着される取付け部の外側の昇降用の梯子の上側の梯子を覆って配設されるため、作業デッキ部の位置（高さ）がリーダーの上に近くなって、作業員の作業デッキ部への昇り降り、リーダー上での作業が容易でなく、また、高所作業となる。
【００１５】
本考案は、このような従来の問題を解決するもので、リーダーへの取り付け及び取り外しを簡易にし、足場の高さを下げて、リーダー上での作業に適した高さにすることのできる杭打機リーダースライド式組立足場を提供すること、を目的とする。
【課題を解決するための手段】
【００１６】
上記目的を達成するために、本考案は、
杭打機のリーダーを構成する複数のパイプを、当該各パイプの長手方向に沿って取り付けられてオーガの昇降をガイドするための一対のガイドパイプを下方に向けて横倒しにしてリーダースタンドに載せ、前記各パイプ及び前記パイプに付設される周辺部材を組み立て又は分解するリーダーの組み立て又は分解作業に使用する杭打機リーダースライド式組立足場であって、
前記パイプの前記一対のガイドパイプの直下に前記パイプの軸方向に対して直交して配置され、両端部側が前記パイプの両側に突出されて当該両端部側に足場デッキを有する足場ベースと、
前記足場ベース上で一方の側部側及び他方の側部側にそれぞれ、一対の軸受を介して、前記一対のガイドパイプの上面上を転動可能に軸支される一方の側部側の一対のガイドローラ及び他方の側部側の一対のガイドローラと、
前記足場ベース上で前記一方の側部側の一対のガイドローラ及び前記他方の側部側の一対のガイドローラ間に前記各ガイドパイプの外側に向けられる外面に係脱可能に敷設され、前記各一対のガイドローラを前記各ガイドパイプに沿って転動案内する一対のパイプガイドと、
前記各足場デッキにおいて前記足場ベースの周囲に一部を開閉可能にして立設される手摺りと、
前記各足場デッキにおいて前記足場ベースの周囲の前記一部に昇降可能に配設される梯子と、
前記足場ベースに配設される複数の吊り上げ用のフックと、
を備え、
前記各パイプの下方で前記一対のガイドパイプに前記複数のガイドローラを介して懸垂され、前記各足場デッキが前記一対のガイドパイプに沿って移動可能に配置される、
ことを要旨とする。
【００１７】
また、この足場は各部に次のような構成を備えることが好ましい。
（１）足場ベースは各種の型鋼によりフレーム状に組み立てられて構成され、その両端部側に鋼板が設置固定されて足場デッキが形成される。
（２）各一対のガイドローラは足場ベース上で各一対の軸受に逆ハの字形に軸支されて各ガイドパイプの頂部に当接される。
（３）各一対のガイドローラ及び一対のパイプガイドのうち少なくとも同じ片側一方の各ガイドローラの軸受及びパイプガイドの直下から外側方向に所定の範囲までの足場デッキの一部に開口が形成されるとともに、当該開口を開閉可能に開閉デッキが設けられて、前記同じ片側一方のガイドローラの各軸受及びパイプガイドは前記足場ベースにガイド回動機構を介して前記同じ片側一方の各ガイドローラ及びパイプガイドが前記開口に向けて傾動可能に取り付けられる。
この場合、ガイド回動機構は、足場デッキの開口上で同じ片側一方の各ガイドローラの各軸受及びパイプガイドを一列に配列して支持する支持プレートと、前記支持プレートの両端に一体に設けられ、足場ベースの両側部の内面に沿って配置される一対の回動プレートと、前記各回動プレートと前記足場ベースの両側部との間に挿通され、前記各回動プレートを前記支持プレートとともに前記同じ片側一方の各ガイドローラの各軸受及びパイプガイドが一方のガイドパイプに係合可能な位置と前記足場デッキの開口との間で回動可能に支持する回動軸と、前記各回動プレートと前記足場ベースの両側部との間に着脱可能に挿通され、前記各回動プレートを前記支持プレートとともに前記同じ片側一方の各ガイドローラの各軸受及びパイプガイドが一方のガイドパイプに係合可能な位置に支持固定するロック軸とを有することが望ましい。
（４）各足場デッキにおいて足場ベース周囲の手摺りの一部は、前記足場ベースの上下方向に延びる一対の縦フレームと前記各縦フレーム間に配置固定される複数の横フレームとからなる梯子として構成され、前記各縦フレームの一端が前記足場ベースに梯子回動機構を介して回動可能に取り付けられる。
この場合、梯子回動機構は、足場ベースに梯子の各縦フレームに当接可能な間隔で取り付けられ、前記足場ベースの上方適宜の高さまで突出される一対の取付フレームと、前記各取付フレームと前記梯子の各縦フレームの一端との間に挿通され、前記一対の取付フレームに対して前記梯子を回動可能に支持する回動軸と、前記各取付フレームと前記梯子の各縦フレームの一端との間に挿通され、前記梯子を前記足場ベース上で手摺りとして立ち上げられた位置に固定する手摺りロック軸と、前記取付フレームと前記梯子の各縦フレームの一端との間に挿通され、前記梯子を前記足場ベースから梯子として吊り下げられた位置に固定する梯子ロック軸とを有することが望ましい。
【考案の効果】
【００１８】
本考案の杭打機リーダースライド式組立足場によれば、上記の構成により、リーダーをなす各パイプの下方で一対のガイドパイプに複数のガイドローラを介して懸垂され、各足場デッキが一対のガイドパイプに沿って移動可能に配置されるので、リーダーへの取り付けや取り外しを簡易にすることができ、従来のリーダー組み立て・分解用作業装置に比べて足場の高さを下げて、リーダー上での作業に適した高さにすることができる、という本考案独自の格別な効果を奏する。
【図面の簡単な説明】
【００１９】
【図１】本考案の一実施の形態における杭打機リーダースライド式組立足場の全体構成を示す図（正面図）
【図２】同組立足場の全体構成を示す図（平面図）
【図３】同組立足場の特にガイドローラー、軸受、パイプガイド、支持プレートの構成を示す図（部分正面図）
【図４】同組立足場の特にガイドローラー、軸受、パイプガイド、支持プレート及び手摺りの構成を示す図（正面図）
【図５】同組立足場の特に手摺り、梯子の構成を示す図（側面図）
【図６】同組立足場の特に手摺り、梯子の構成を示す図（側面図）
【図７】同組立足場の特にリーダーへの装着手順（手順１）を示す図
【図８】同組立足場の特にリーダーへの装着手順（手順２）を示す図
【図９】同組立足場の特にリーダーへの装着手順（手順３）を示す図
【図１０】同組立足場の特にリーダーへの装着手順（手順４）を示す図
【図１１】同組立足場の特にリーダーへの装着手順（手順５）を示す図
【図１２】同組立足場の特にリーダーへの装着手順（手順６）を示す図
【図１３】同組立足場の特にリーダーへの装着手順（手順７）を示す図
【図１４】同組立足場の特にリーダーへの装着手順（手順８）を示す図
【図１５】同組立足場を用いたリーダー及びその周辺部材の組み立て又は解体作業を示す図
【考案を実施するための形態】
【００２０】
次に、この考案を実施するための形態について図を用いて説明する。図１、図２に杭打機リーダースライド式組立足場の全体構成を示し、図３乃至図６にこの組立足場の各部の構成を示している。
【００２１】
図１、図２に示すように、杭打機リーダースライド式組立足場Ｓ（以下、単に足場Ｓという場合がある。）は、杭打機のリーダーＬを構成する複数のパイプＰを、当該各パイプＰの長手方向に沿って取り付けられてオーガの昇降をガイドするための一対のガイドパイプＧを下方に向けて横倒しにしてリーダースタンド（図示省略）に載せ、各パイプＰ及びパイプＰに付設される周辺部材を組み立て又は分解するリーダーＬの組み立て又は分解作業に使用するもので、特に、この足場Ｓは、パイプＰの一対のガイドパイプＧの直下にパイプＰの軸方向に対して直交して配置され、両端部側がパイプＰの両側に突出されてこの両端部側に足場デッキ２を有する足場ベース１と、足場ベース１上で一方の側部側及び他方の側部側にそれぞれ、一対の軸受３を介して、一対のガイドパイプＧの上面上を転動可能に軸支される一方の側部側の一対のガイドローラ３１及び他方の側部側の一対のガイドローラ３２（図６参照）と、足場ベース１上で一方の側部側の一対のガイドローラ３１及び他方の側部側の一対のガイドローラ３２間に各ガイドパイプＧの外側に向けられる外面に係脱可能に敷設され、各一対のガイドローラ３１、３２を各ガイドパイプＧに沿って転動案内する一対のパイプガイド４と、各足場デッキ２において足場ベース１の周囲に一部を開閉可能にして立設される手摺り５と、各足場デッキ２において足場ベース１の周囲の一部に昇降可能に配設される梯子６と、足場ベース１に配設される複数の吊り上げ用のフック７とを備えて構成される。
【００２２】
足場ベース１は各種の型鋼によりフレーム状に組み立てられて構成され、その両端部側にそれぞれ鋼板が設置固定されて足場デッキ２が形成される。この場合、足場ベース１は、平行に配列される２本一対の長い溝型鋼１１と、これらの溝型鋼１１間に一端から他端まで適宜の間隔を空けて並列に配置されて接合される短い複数のアングル（Ｌ型鋼）１２とからなり、全体として平面視長方形のフレーム状に組み立てられる。なお、２本の溝型鋼１１の一方が足場ベース１の一方の側部、２本の溝型鋼１１の他方が足場ベースの他方の側部をなし、２本の溝型鋼１１間に接合された両端のアングル１２の一方が足場ベース１の一方の端部、２本の溝型鋼１１間に接合された両端のアングル１２の他方が足場ベース１の他方の端部をなす。足場デッキ２は縞鋼板や金網などからなり、足場ベース１の両端部側を構成する各溝型鋼１１と各アングル１２との間に配置固定される。なお、足場ベース１の中央はリーダーＬ（パイプＰ）の直下であり、縞鋼板などが取り付けられることなく、開口１０（以下、足場ベース中央の開口１０又は中央の開口１０という。）となる。
【００２３】
また、この足場ベース１の足場デッキ２においては、各一対のガイドローラ３１、３２及び各一対のパイプガイド４のうち少なくとも同じ片側一方の各ガイドローラ３１、３２の各軸受３及びパイプガイド４の直下から外側方向に所定の範囲までの足場デッキ２の一部に開口２０（以下、足場デッキの開口２０という。）が形成されるとともに、この足場デッキの開口２０を開閉可能に開閉デッキ２１が設けられる。この場合、足場ベース１において中央の開口１０の片側一方のアングル１２とこれに（一方の端部側で）合隣るアングル１２との間で同じ片側一方の各ガイドローラ３１、３２の各軸受３及びパイプガイド４が設置される位置に隣接して開閉デッキ２１が合隣るアングル１２にヒンジ２２を介して足場デッキ２の上面と同じ高さの面から足場デッキの開口２０を開放可能に所定の回動角度まで回動可能に取り付けられる。なお、開閉デッキ２１の上面には自由端側に開閉用の取手２１１が取り付けられる。
【００２４】
２組一対のガイドローラ３１、３２の各軸受３は、図３に示すように、ガイドローラ３１、３２を軸支されるローラ軸支部３３と、ローラ軸支部３３を支持する支持部３４とからなり、足場ベース１上で一方の側部側及び他方の側部側に取り付けられる。この場合、支持部３４はリーダーＬ（パイプＰ）のガイドパイプＧの直径よりも長い高さを有する断面略への字形のプレートからなり、斜め上方に延びる上側端部の内面にローラ軸支部３３が斜め下方に向けて突出される。そして、これらの軸受３はそれぞれ、図２に示すように、足場ベース１の中央開口１０の両側のアングル１２の外側で一方の側部側及び他方の側部側に、後述する支持プレート８１を介して、各ローラ軸支部３３を足場ベース１の中央開口１０に向けて立設される。このようにして各一対のガイドローラ３１、３２は足場ベース１上で各一対の軸受３のローラ軸支部３３に逆ハの字形に軸支されて各ガイドパイプＧの頂部に当接される。
【００２５】
一対のパイプガイド４はそれぞれ、図２、図３に示すように、一対のガイドパイプＧの外側に向けられる外面に僅かな隙間を介して沿う断面円弧状で、足場ベース１上で同じ片側一方に配置される各軸受３間、同じ片側他方に配置される各軸受３間の寸法と略同じ長さのプレートからなり、図２に示すように、一方のパイプガイド４が足場ベース１上において同じ片側一方に配置される各軸受３間に、他方のパイプガイド４が足場ベース１上において同じ片側他方に配置される各軸受３間に、それぞれ、後述する支持プレート８１を介して、取り付けられる。
【００２６】
また、各一対のガイドローラ３１、３２の各軸受３及び各一対のパイプガイド４は、図４に示すように、少なくとも同じ片側一方の各ガイドローラ３１、３２の各軸受３及びパイプガイド４が足場ベース１にガイド回動機構８を介して同じ片側一方のガイドローラ３１、３２及びパイプガイド４が足場デッキの開口２０に向けて傾動可能に取り付けられる。
【００２７】
この場合、ガイド回動機構８は、図４に示すように、足場デッキの開口２０上で同じ片側一方の各ガイドローラ３１、３２の各軸受３及びパイプガイド４を一列に配列して支持する支持プレート８１と、支持プレート８１の両端に一体的に設けられ、足場ベース１の両側部の内面に沿って配置される一対の回動プレート（図示省略）と、各回動プレートと足場ベース１の両側部との間に挿通され、各回動プレートを支持プレート８１とともに同じ片側一方の各ガイドローラ３１、３２の各軸受３及びパイプガイド４が一方のガイドパイプＧに係合可能な位置と足場デッキの開口２０との間で回動可能に支持する回動軸８３と、各回動プレート８３と足場ベース１の両側部との間に着脱可能に挿通され、各回動プレート８３を支持プレート８１とともに同じ片側一方の各ガイドローラ３１、３２の各軸受３及びパイプガイド４が一方のガイドパイプＧに係合可能な位置に支持固定するロック軸８４とにより構成される。ここで、支持プレート８１はアングルからなり、一対の回動プレートはアングルの水平部の幅よりも長い例えば矩形状のプレートで、一端側にロック軸挿通部（図示省略）、他端側に回動軸挿通部（図示省略）を有し、一端側が支持プレート８１の両端において水平部の下部に支持プレート８１の長さ方向に対して直角に固着されて、他端側が支持プレート８１の垂直部から所定の長さだけ突出される。回動軸８３、ロック軸８４にはボルト、ナットが使用される。一方、足場ベース１においてはこの支持プレート８１が配置され、両端の回動プレートが対向される位置に、各回動プレートのロック軸挿通部、回動軸挿通部に対応して、ロック軸挿通部１１１、回動軸挿通部１１０が穿たれる。このようにして支持プレート８１の垂直部の両端に各軸受３が支持部３４の下端をボルトナットにより固着されて取り付けられ、これら軸受３の間で支持プレート８１の水平部と垂直部との間にパイプガイド４が溶接により固着されて、この支持プレート８１は、足場ベース１の中央の開口１０の片側一方のアングル１２の外側で足場ベース１の一方の側部と他方の側部との間に配置され、足場ベース１の各側部において、回動軸挿通部１１０からボルトが挿入され、支持プレート８１の回動プレートの回動軸挿通部に挿通され、ナットに締結されて、この支持プレート８１により同じ片側一方の各ガイドローラ３１、３２の各軸受３及びパイプガイド４が一方のガイドパイプ４に係合可能な位置と足場デッキの開口２０との間で回動可能に支持され、足場ベース１の各側部において、ロック軸挿通部１１１からボルトが挿入され、支持プレート８１の回動プレートのロック軸挿通部に挿通され、ナットに締結されて、この支持プレート８１により同じ片側一方の各ガイドローラ３１、３２の各軸受３及びパイプガイド４が一方のガイドパイプＧに係合可能な位置に支持固定される。
【００２８】
他方、足場ベース１の中央の開口１０の片側他方のアングル１２の外側で足場ベース１の一方の側部と他方の側部との間に同じ片側他方の各ガイドローラ３１、３２の各軸受３及びパイプガイド４が、支持プレート８１を介して、他方のガイドパイプＧに係合可能な位置に支持固定される。この場合、支持プレート８１は既述の支持プレート８１と概ね同様の構成を有するものでよく、この支持プレート８１に同じ片側他方の各ガイドローラ３１、３２の各軸受３及びパイプガイド４が同様に固着されて、足場ベース１の両側部間に溶接又はボルトナットにより固着される。
【００２９】
なお、このようにして足場ベース１の中央の開口１０の両側に配置される各ガイドローラ３１、３２の下部（各ガイドパイプＧの頂部に接する部分）の高さは各パイプガイド４の内周上端の高さに対して僅かに低い位置を取る（図３参照）。
【００３０】
図１に示すように、各足場デッキ２において足場ベース１の周囲に手摺り５が立設され、その一部は開閉可能な手摺り５としてかつ昇降可能な梯子６として構成される。この場合、足場ベース１は全体として平面視長方形のフレーム状に組み立てられるので、手摺り５は各足場デッキ２において足場ベース１の一方、他方の側部上、端部上の３箇所に立設され、その一部、この場合、一方の側部上の手摺り５が梯子６として開閉可能でかつ昇降可能に設置される。ここで足場ベース１の他方の側部上、端部状の各手摺り５は、図５、図６に示すように、足場ベース１から上方に適宜の高さまで延びる一対の縦フレーム５１と各縦フレーム５１の上端部間、上下方向の略中央部間にそれぞれ架け渡し固定される２本の横フレーム５２とからなる。なお、これらの手摺り５は足場ベース１のコーナー部で連結され、平面視Ｌ字形を呈する。ここで足場ベース１の一方の側部上の手摺り５、つまり梯子６は、図１に示すように、足場ベース１の上下方向に延びる一対の縦フレーム６１と各縦フレーム６１の上端部間及び上下方向の中間部間にそれぞれ等間隔に配置固定される３本の横フレーム６２とからなり、各縦フレーム６１の一端（下端部）が足場ベース１に梯子回動機構９を介して上下方向に回動可能に取り付けられる。この場合、梯子回動機構９は、足場ベース１に梯子６の各縦フレーム６１の下端部外側面に当接可能な間隔で取り付けられ、足場ベース１の上方適宜の高さまで突出される一対の取付フレーム９１と、各取付フレーム９１と梯子６の各縦フレーム６１の下端部との間に挿通され、一対の取付フレーム９１に対して梯子６を回動可能に支持する回動軸９２と、各取付フレーム９１と梯子６の各縦フレーム６１の下端部との間に挿通され、梯子６を足場ベース１上で手摺り５として立ち上げられた位置に固定する手摺りロック軸９３と、取付フレーム９１と梯子６の各縦フレーム６１の下端部との間に挿通され、梯子６を足場ベース１から梯子６として吊り下げられた位置に固定する梯子ロック軸９４とを有する。ここで一対の取付フレーム９１は、図５、図６に示すように、梯子６の縦フレーム６１と略同じ幅の細長い平板状に形成され、上下方向中央に回動軸挿通部９１１が、上部に手摺りロック軸挿通部９１２が、下部に梯子ロック軸挿通部９１３が、それぞれ、穿たれる。そして、梯子６の各縦フレーム６１の下端部にそれぞれ、各取付フレーム９１の各回動軸挿通部９１１に対応して回動軸挿通部（図示省略）が穿たれ、その少し上下部に各取付フレーム９１の手摺りロック軸挿通部９１２、梯子ロック軸挿通部９１３に対応可能に共通のロック軸挿通部（図示省略）が穿たれる。回動軸９２にはボルト、ナットが、手摺りロック軸９３及び梯子ロック軸９４には共通のボルト、ナットが、それぞれ、使用される。このようにして各足場デッキ２において足場ベース１の一方の側部に一対の取付フレーム９１が取り付けられ、これら一対の取付フレーム９１間に梯子６の各縦フレーム６１の下端部が当接配置されて、各取付フレーム９１の各回動軸挿通部９１１から梯子６の各縦フレーム６１の各回動軸挿通部に回動軸９２をなすボルトが挿通されナットに締結されて、一対の取付フレーム９１に梯子６が回動可能に支持され、梯子６が足場ベース１上で手摺り５として立ち上げられた状態で各取付フレーム９１の手摺りロック軸挿通部９１２から梯子６の各縦フレーム６１の各ロック軸挿通部に手摺りロック軸９３をなす共通のボルトが挿通されナットに締結されて、梯子６が足場ベース１の一方の側部上に手摺り５として立ち上げられた位置で固定され、梯子６が足場ベース１から梯子６として吊り下げられた状態で各取付フレーム９１の梯子ロック軸挿通部９１３から梯子６の各縦フレーム６１の各梯子ロック軸挿通部に梯子ロック軸９４をなす共通のボルトが挿通されナットに締結されて、梯子６が足場ベース１の一方の側部から梯子６として吊り下げられた位置で固定される。
【００３１】
図１に示すように、足場Ｓの吊り上げ用のフック７にはアイプレート（以下、アイプレート７という。）が使用される。この場合、４つのアイプレート７が足場ベース１の四隅、すなわち、足場ベース１の両側部をなす各溝型鋼１１の両端部に固着される。
【００３２】
足場Ｓはこのような構成からなり、この場合、長さ（足場ベース１の長手方向の寸法）約２ｍ８０ｃｍ、幅（足場ベース１の短手方向）約１ｍ、手摺り５の高さ約１ｍ、梯子６の高さ約１ｍ弱、総重量約１５０ｋｇの作業台ユニットとして組み立てられる。
【００３３】
図７乃至図１４にこの足場ＳをリーダーＬに装着する手順を示している。
まず、図７に示すように、クレーン（図示省略）から４本のワイヤーＷを垂らし、先端のフックＦを足場Ｓの四隅の各アイプレート７に係止して、クレーンで足場Ｓを吊り上げ、リーダースタンド上に横倒しに載せられたリーダーＬの近傍に足場Ｓを降ろす。なお、この場合、リーダーＬを構成する各パイプＰは、既述のとおり、パイプＰの長手方向に沿って取り付けられてオーガの昇降をガイドするための一対のガイドパイプＧを下方に向けて横倒しにしてリーダースタンドに載せられる。
【００３４】
次に、図８に示すように、足場ＳをパイプＰの真下（の地盤上）に、足場Ｓの長手方向（両端部方向）をパイプＰの軸方向に対して直角方向に向けて配置する。この場合、足場Ｓ（総重量約１５０ｋｇ）は人力で押したり引いたりすることができるので、足場Ｓの移動は人力で行うことができる。なお、この足場ＳはパイプＰの真下である限りどの位置からでも取り付け可能なので、パイプＰの真下であれば置く位置は任意である。
【００３５】
続いて、図９に示すように、パイプＰの両側にクレーンのワイヤーＷを２本ずつ垂らし、各ワイヤーＷのフックＦを足場Ｓの両端の各アイプレート７に係止する。そして、図１０に示すように、クレーンで足場ＳをパイプＰの直下まで吊り上げる。なお、この足場Ｓの吊り上げの前に、予め、足場デッキ２の開閉デッキ２１を引き上げて足場デッキの開口２０を開放し、足場ベース１の各側部においてロック軸挿通部１１１からボルトを取り外して、支持プレート８１を回動軸８３を回動中心として回動可能とし、この支持プレート８１に支持固定される片側一方の各ガイドローラ３１、３２の各軸受３及びパイプガイド４を足場デッキの開口２０に向けて傾動させて、片側一方の各ガイドローラ３１、３２及びパイプガイド４を足場デッキの開口２０内に退避させておく。この操作はボルト（ロック軸８４）を抜き、支持プレート８１を回動させるだけなので、極めて簡易である。
【００３６】
次いで、足場Ｓの固定側となる片側他方の各ガイドローラ３１、３２をパイプＰの頂部に載せながら、パイプガイド４をガイドパイプＧの外面に沿って配置した後、図１１に示すように、足場Ｓの可動側となる片側一方の支持プレート８１をパイプＰ（のガイドパイプＧ）に向けて回動させて、この支持プレート８１に支持固定される片側一方の各ガイドローラ３１、３２及びパイプガイド４を足場デッキの開口２０から引き起こし、各ガイドローラ３１、３２をガイドパイプＧの頂部に載せながら、パイプガイド４をガイドパイプＧの外面に沿って配置して、この状態を、図１２に示すように、足場ベース１の各側部においてロック軸挿通部１１１からボルトを挿入し、支持プレート８１の各回動プレートのロック軸挿通部に挿通して、ナットに締結することにより、固定する。この作業も、足場Ｓの片側他方の各ガイドローラ３１、３２及びパイプガイド４を一対のガイドパイプＧの一方に合わせて、片側一方の各ガイドローラ３１、３２及びパイプガイド４を、支持プレート８１の回動により、一対のガイドパイプＧの他方に係合可能に合わせて、足場ベース１の各側部においてロック軸挿通部１１１からボルトを挿入し、支持プレート８１の各回動プレートのロック軸挿通部に挿通して、ナットに締結するだけなので、極めて簡易に行うことができる。
【００３７】
そして、図１３に示すように、足場デッキの開口２０を開閉デッキ２１で閉めて、図１４に示すように、足場ＳのパイプＰ（ガイドパイプＧ）への装着を完了する。
【００３８】
このようにして足場Ｓは各パイプＰの下方で、複数の、この場合、２組一対のガイドローラ３１、３２が一対のガイドパイプＧ上に各ガイドパイプＧの頂部に対して逆ハの字形に当接して乗せられ、これらガイドローラ３１、３２の４本の軸受３により懸垂されて、足場Ｓが一対のガイドパイプＧに沿ってスライド移動可能に配置される。この足場Ｓではパイプの両側に足場デッキ２があるので、２人の作業員が両側の足場デッキ２に乗って、パイプＰの両側で作業を行うことができ、片側の足場デッキ２に１人の作業員が乗って、パイプＰの片側で作業を行うこともできる。さらに、この足場ＳはリーダーＬの一部のように装着されるので、見栄えもよい。
【００３９】
この足場Ｓを用いてリーダーＬの組み立て作業又は解体作業を行う際は、作業員が足場Ｓを押して又は引張って、例えば各パイプＰ間の接続位置やバックステーなどの取り付け位置などリーダーＬの作業位置まで移動する。足場Ｓを押せば又は引張れば、足場Ｓの片側２個ずつ合計４個のガイドローラ３１、３２が、各パイプガイド４と各ガイドパイプＧとの係脱により案内されて、パイプＰの各一対のガイドパイプＧの頂部上を転動するので、足場ＳをリーダーＬの作業位置まで容易に移動させることができる。足場ＳをリーダーＬの作業位置まで移動したら、その位置で、足場Ｓから梯子６を下ろす。この場合、図６に示すように、梯子６が足場ベース１上で手摺り５として立ち上げられた状態で各取付フレーム９１の手摺りロック軸挿通部９１２から梯子６の各縦フレーム６１の各手摺りロック軸挿通部に手摺りロック軸９３をなすボルトが挿通されナットに締結されて、梯子６が足場ベース１の一方の側部上に手摺り５として立ち上げられた位置で固定されているので、梯子６と各取付フレーム９１から手摺りロック軸９３をなすボルトを抜いて、梯子６を一対の取付フレーム９１に対して回動軸９２を中心に回動可能として、梯子６を足場ベース１上から下方に向けて回動して、足場Ｓから吊り下げる。そして、図５に示すように、各取付フレーム９１の梯子ロック軸挿通部９１３から梯子６の各縦フレーム６１の各ロック軸挿通部に梯子ロック軸９４をなす共通のボルトを挿通しナットに締結して、梯子６を足場ベース１から吊り下げられた位置に固定する。この作業は、梯子６のボルト（手摺りロック軸９３、梯子ロック軸９４）の抜き差しと梯子６の回動だけなので、極めて簡易である。そして、この梯子６を使って作業員は足場Ｓの足場デッキ２上に乗り込む。作業員が足場Ｓに乗ったら、梯子６を足場ベース１上に引き上げて手摺り５として設置する。この場合、図５に示すように、梯子６が足場ベース１から梯子６として吊り下げられた状態で各取付フレーム９１の梯子ロック軸挿通部９１３から梯子６の各縦フレーム６１の各ロック軸挿通部に梯子ロック軸９４をなす共通のボルトが挿通されナットに締結されて、梯子６が足場ベース１の一方の側部から梯子６として吊り下げられた位置で固定されているので、梯子６と各取付フレーム９１から手摺りロック軸９４をなすボルトを抜いて、梯子６を各取付フレーム９１に対して回動軸９２を中心に回動可能として、梯子６を足場Ｓの下から上方に向けて回動して、足場ベース１の上に立ち上げる。そして、図６に示すように、各取付フレーム９１の手摺りロック軸挿通部９１２から梯子６の各縦フレーム６１の各ロック軸挿通部に手摺りロック軸９３をなす共通のボルトを挿通しナットに締結して、梯子６を足場ベース１上に立ち上げられた位置に固定する。この作業は、梯子６のボルト（手摺りロック軸９３、梯子ロック軸９４）の抜き差しと梯子６の回動だけなので、極めて簡易である。図１５に示すように、足場デッキ２の高さはパイプＰのガイドパイプＧの高さ当たりにあるので、危険な高所ではなく、作業員が足場デッキ２上に立つと、パイプＰを斜め上方から見下げることのできる作業に適した高さとなって、手摺り５のある安定した足場デッキ２上で、各パイプＰ間の接続作業やバックステーなどの取り付け作業又は解体作業を、力作業であっても、容易かつ安全に行うことができる。
【００４０】
なお、足場ＳをパイプＰ（リーダーＬ）から取り外す場合は、上記の装着作業とは反対の作業を行えばよく、足場Ｓの取り外しも容易に行うことができる。
【００４１】
以上説明したように、このリーダー用足場Ｓでは、リーダーＬをなす各パイプＰの下方でオーガ用の一対のガイドパイプＧに複数のガイドローラ３１、３２を介して各ガイドローラ３１、３２の各軸受３により懸垂され、各足場デッキ２が各パイプＰ（一対のガイドパイプＧ）の両側で各ガイドパイプＧに沿って移動可能に配置されるので、リーダーＬへの取り付けや取り外しを簡易にすることができ、従来のリーダー組み立て・分解用作業装置に比べて足場の高さを下げて、リーダーＬ上での作業に適した高さにすることができ、各パイプＰ間の接続作業やバックステーなどの取り付け作業又はその解体作業を容易かつ安全に行うことができる。
【符号の説明】
【００４２】
Ｌ  杭打機のリーダー
Ｐ  パイプ
Ｇ  ガイドパイプ
Ｓ  杭打機リーダースライド式組立足場
１  足場ベース
１０  開口（中央の開口）
１１  溝型鋼
１１０  回動軸挿通部
１１１  ロック軸挿通部
１２  アングル（Ｌ型鋼）
２  足場デッキ
２０  開口（足場デッキの開口）
２１  開閉デッキ
２１１  開閉用の取手
２２  ヒンジ
３  軸受
３１、３２  ガイドローラ
３３  ローラ軸支部
３４  支持部
４  パイプガイド
５  手摺り
５１  縦フレーム
５２  横フレーム
６  梯子
６１  縦フレーム
６２  横フレーム
７  フック（アイプレート）
８  ガイド回動機構
８１  支持プレート
８３  回動軸
８４  ロック軸
９  梯子回動機構
９１  取付フレーム
９１１  回動軸挿通部
９１２  手摺りロック軸挿通部
９１３  梯子ロック軸挿通部
９２  回動軸
９３  手摺りロック軸
９４  梯子ロック軸
Ｗ  ワイヤー
Ｆ  フック
【図１】
0003222132.tif 000003
【図２】
0003222132.tif 000004
【図３】
0003222132.tif 000005
【図４】
0003222132.tif 000006
【図５】
0003222132.tif 000007
【図６】
0003222132.tif 000008
【図７】
0003222132.tif 000009
【図８】
0003222132.tif 000010
【図９】
0003222132.tif 000011
【図１０】
0003222132.tif 000012
【図１１】
0003222132.tif 000013
【図１２】
0003222132.tif 000014
【図１３】
0003222132.tif 000015
【図１４】
0003222132.tif 000016
【図１５】
0003222132.tif 000017